(57)【要約】【課題】ＮＤＩＲ方式に代表される光の減衰に応じてターゲットガス濃度を測定する方式には、検出感度の向上のために光路長を長く確保することが要求される欠点が内在する。【解決手段】ガス検出装置１０は、吸収スペクトルにおいて吸収ピークを呈するターゲットガスが供給されるセル内空間１３０と、少なくとも吸収ピークに属する波長の光を生成可能である光源４１０と、光源４１０から放射されてセル内空間１３０を伝播した光を検出可能である光検出部４２０と、を備える。ガス検出装置１０は、吸収スペクトルの吸収ピークに対して透過スペクトルの透過ピークが波長軸上で重畳するように複数の光学的開口２２２が規則的に配置された導電性薄膜２２０を更に備え、導電性薄膜２２０が、光源４１０から光検出部４２０に至る光路上に設けられ、かつセル内空間１３０内のターゲットガスに接触可能に設けられる。【選択図】図１
2014211362.tif 000002
【特許請求の範囲】
【請求項１】
吸収スペクトルにおいて吸収ピークを呈するターゲットガスが供給される空間と、
少なくとも前記吸収ピークに属する波長の光を生成可能である光源と、
前記光源から放射されて前記空間を伝播した光を検出可能である光検出部と、を備えるガス検出装置であって、
前記吸収スペクトルの前記吸収ピークに対して透過スペクトルの透過ピークが波長軸上で重畳するように複数の光学的開口が規則的に配置された導電性薄膜を更に備え、
当該導電性薄膜が、前記光源から前記光検出部に至る光路上に設けられ、かつ前記空間内の前記ターゲットガスに接触可能に設けられる、ガス検出装置。
【請求項２】
前記複数の光学的開口は、前記導電性薄膜の平面において互いに直交関係の第１及び第２方向に沿って所定間隔をあけて２次元状に配置される、請求項１に記載のガス検出装置。
【請求項３】
前記複数の光学的開口が、前記第１方向に沿って前記光学的開口が配置された第１及び第２光学的開口列を含み、前記第２光学的開口列が、前記第１光学的開口列に対して前記第２方向に隣接して配置され、前記第２光学的開口列における前記光学的開口の配列位置が、前記第１光学的開口列における前記光学的開口の配列位置に対して前記所定間隔の半分の値だけ前記第１方向にシフトしている、請求項２に記載のガス検出装置。
【請求項４】
前記第１方向に沿って前記光学的開口が配置された光学的開口列において隣接する前記光学的開口同士の間隔と、当該光学的開口列における前記光学的開口に対して斜め方向において隣接する他の光学的開口列における前記光学的開口との間隔とが等しい、請求項２又は３に記載のガス検出装置。
【請求項５】
前記複数の光学的開口は、各々、三角格子の構成単位の三角形の頂点に対応する位置に設けられる、請求項１乃至４のいずれか一項に記載のガス検出装置。
【請求項６】
前記導電性薄膜が前記光源の放射光に対して透光性を有する支持基板上に形成される、請求項１乃至５のいずれか一項に記載のガス検出装置。
【請求項７】
前記導電性薄膜が形成された前記支持基板は、前記空間への前記光源の放射光の伝播を中継する、若しくは前記空間を伝播した光の前記光検出部への伝播を中継する窓材である、請求項６に記載のガス検出装置。
【請求項８】
前記導電性薄膜が、銀、金、銅、クロム、アルミニウム、及び鉄から成る群から選択される、請求項１乃至７のいずれか一項に記載のガス検出装置。
【請求項９】
前記空間が、ガス導入部及びガス排出部を有するガスセルにより画定される、請求項１乃至８のいずれか一項に記載のガス検出装置。
【請求項１０】
前記空間が、ガス導入部及びガス排出部を有するガスセルにより画定され、当該ガスセルの反射性の内面には前記導電性薄膜が設けられる、請求項１乃至９のいずれか一項に記載のガス検出装置。
【請求項１１】
前記空間が、反射性の球面により画定され、当該球面上に前記導電性薄膜が設けられる、請求項１乃至９のいずれか一項に記載のガス検出装置。
【請求項１２】
吸収スペクトルにおいて吸収ピークを呈するターゲットガスの前記吸収ピークに属する波長の光に対して透光性を有する支持基板と、
前記支持基板上に形成され、かつ前記吸収スペクトルの前記吸収ピークに対して透過スペクトルの透過ピークが波長軸上で重畳するように複数の光学的開口が規則的に配置された導電性薄膜と、
を備えるガス検出装置用の光学部品。
【請求項１３】
前記複数の光学的開口が前記導電性薄膜の平面において互いに直交関係の第１及び第２方向に沿って所定間隔をあけて２次元状に配置される、請求項１２に記載の光学部品であって、
前記複数の光学的開口が、前記第１方向に沿って前記光学的開口が配置された第１及び第２光学的開口列を含み、前記第２光学的開口列が、前記第１光学的開口列に対して前記第２方向に隣接して配置され、前記第２光学的開口列における前記光学的開口の配列位置が、前記第１光学的開口列における前記光学的開口の配列位置に対して前記所定間隔の半分の値だけ前記第１方向にシフトしている、光学部品。
【請求項１４】
吸収スペクトルにおいて吸収ピークを呈するターゲットガスが供給される空間内に配置された導電性薄膜であって、前記吸収スペクトルの前記吸収ピークに対して透過スペクトルの透過ピークが波長軸上で重畳するように複数の光学的開口が規則的に配置された導電性薄膜に対して少なくとも前記吸収ピークに属する波長の光を照射し、
前記導電性薄膜を介して前記空間を伝播した光を検出する、ガス検出方法。
【発明の詳細な説明】
【技術分野】
【０００１】
本発明は、ガス検出装置、ガス検出方法、及び光学部品に関する。
【背景技術】
【０００２】
医療、環境測定、各種試験等の様々な分野においてガス検出装置が活用されている。ガス検出装置は、例えば、エアコンの排気ガス、自動車の排気ガス、工場の排気ガス、家庭における漏えいガス、シックハウス症候群等の有毒ガス、生ごみ、ペット等の異臭ガスの検出に活用されている。
【０００３】
ガス検出方式には、半導体式、接触燃焼式、熱伝導式、ＮＤＩＲ（Ｎｏｎ  Ｄｉｓｐｅｒｓｉｖｅ  ＩｎｆｒａＲｅｄ）式等が挙げられる。半導体式は、半導体に晒されたガスによる電気抵抗の変化を検出するものであり、小型かつ量産性が高いが、安定性に欠ける欠点がある。接触燃焼式は、装置内でガスを燃焼させるものであり、可燃性ガスに限定される。熱電動式は、ガスの熱伝導性の差に応じて温度変化を検出するものであり、感度が低いという欠点がある。ＮＤＩＲ式は、様々なガスに対応でき、高感度及び長期間安定動作という利点があるが、光路長の確保に由来して装置が大型化してしまう欠点がある。
【０００４】
特許文献１には、同文献の要約に記載のように、赤外線光源８の出力光の強度を一定に保つためにガスにより吸収されない波長の赤外線を光学フィルタ１０Ｂを介して赤外線検出器９Ｂで検出して赤外線光源８の印加電圧を制御することが開示されている。
【先行技術文献】
【特許文献】
【０００５】
【特許文献１】特開２０１０−１３９２９９号公報
【発明の概要】
【発明が解決しようとする課題】
【０００６】
ＮＤＩＲ方式に代表される光の減衰に応じてターゲットガス濃度を測定する方式には、検出感度の向上のために光路長を長く確保することが要求される欠点が内在する。
【課題を解決するための手段】
【０００７】
本発明に係るガス検出装置は、吸収スペクトルにおいて吸収ピークを呈するターゲットガスが供給される空間と、少なくとも前記吸収ピークに属する波長の光を生成可能である光源と、前記光源から放射されて前記空間を伝播した光を検出可能である光検出部と、を備えるガス検出装置であって、前記吸収スペクトルの前記吸収ピークに対して透過スペクトルの透過ピークが波長軸上で重畳するように複数の光学的開口が規則的に配置された導電性薄膜を更に備え、当該導電性薄膜が、前記光源から前記光検出部に至る光路上に設けられ、かつ前記空間内の前記ターゲットガスに接触可能に設けられる。
【０００８】
前記複数の光学的開口は、前記導電性薄膜の平面において互いに直交関係の第１及び第２方向に沿って所定間隔をあけて２次元状に配置される、と良い。
【０００９】
前記複数の光学的開口が、前記第１方向に沿って前記光学的開口が配置された第１及び第２光学的開口列を含み、前記第２光学的開口列が、前記第１光学的開口列に対して前記第２方向に隣接して配置され、前記第２光学的開口列における前記光学的開口の配列位置が、前記第１光学的開口列における前記光学的開口の配列位置に対して前記所定間隔の半分の値だけ前記第１方向にシフトしている、と良い。
【００１０】
前記第１方向に沿って前記光学的開口が配置された光学的開口列において隣接する前記光学的開口同士の間隔と、当該光学的開口列における前記光学的開口に対して斜め方向において隣接する他の光学的開口列における前記光学的開口との間隔とが等しい、と良い。
【００１１】
前記複数の光学的開口は、各々、三角格子の構成単位の三角形の頂点に対応する位置に設けられる、と良い。
【００１２】
前記導電性薄膜が前記光源の放射光に対して透光性を有する支持基板上に形成される、と良い。
【００１３】
前記導電性薄膜が形成された前記支持基板は、前記空間への前記光源の放射光の伝播を中継する、若しくは前記空間を伝播した光の前記光検出部への伝播を中継する窓材である、と良い。
【００１４】
前記導電性薄膜が、銀、金、銅、クロム、アルミニウム、及び鉄から成る群から選択される、と良い。
【００１５】
前記空間が、ガス導入部及びガス排出部を有するガスセルにより画定される、と良い。
【００１６】
前記空間が、ガス導入部及びガス排出部を有するガスセルにより画定され、当該ガスセルの反射性の内面には前記導電性薄膜が設けられる、と良い。
【００１７】
前記空間が、反射性の球面により画定され、当該球面上に前記導電性薄膜が設けられる、と良い。
【００１８】
本発明に係る光学部品は、吸収スペクトルにおいて吸収ピークを呈するターゲットガスの前記吸収ピークに属する波長の光に対して透光性を有する支持基板と、前記支持基板上に形成され、かつ前記吸収スペクトルの前記吸収ピークに対して透過スペクトルの透過ピークが波長軸上で重畳するように複数の光学的開口が規則的に配置された導電性薄膜と、を備える。
【００１９】
前記複数の光学的開口が前記導電性薄膜の平面において互いに直交関係の第１及び第２方向に沿って所定間隔をあけて２次元状に配置される場合において、前記複数の光学的開口が、前記第１方向に沿って前記光学的開口が配置された第１及び第２光学的開口列を含み、前記第２光学的開口列が、前記第１光学的開口列に対して前記第２方向に隣接して配置され、前記第２光学的開口列における前記光学的開口の配列位置が、前記第１光学的開口列における前記光学的開口の配列位置に対して前記所定間隔の半分の値だけ前記第１方向にシフトしている、と良い。
【００２０】
本発明に係るガス検出方法は、吸収スペクトルにおいて吸収ピークを呈するターゲットガスが供給される空間内に配置された導電性薄膜であって、前記吸収スペクトルの前記吸収ピークに対して透過スペクトルの透過ピークが波長軸上で重畳するように複数の光学的開口が規則的に設けられた導電性薄膜に対して少なくとも前記吸収ピークに属する波長の光を照射し、前記導電性薄膜を介して前記空間を伝播した光を検出する。
【発明の効果】
【００２１】
本発明によれば、装置内の光路長に特に依存する事無く十分なガス検出感度を確保可能になる。
【図面の簡単な説明】
【００２２】
【図１】本発明の第１実施形態に係るガス検出装置の概略的な断面構成を示す模式図である。
【図２】本発明の第１実施形態に係るガス検出装置に組み込まれる窓材の概略的な構成を示す模式図であり、同図（ａ）にて窓材の部分的かつ概略的な上面構成を示し、同図（ｂ）にて窓材の概略的な断面構成を示す。
【図３】本発明の第１実施形態に係るガス検出装置に組み込まれる窓材の製造方法を示す工程図である。
【図４】本発明の第１実施形態に係るガス検出装置に組み込まれる窓材の上面を写した写真である。
【図５】本発明の第１実施形態に係るガス検出装置に組み込まれる窓材の導電性薄膜の光学的開口の間隔と透過スペクトルの透過ピークの最大透過率の波長（λmax）の関係を示すグラフである。
【図６】本発明の第１実施形態に係るガス検出装置に組み込まれる窓材の導電性薄膜の透過スペクトルの対比を示すグラフである。
【図７Ａ】本発明の第１実施形態に係るガス検出装置に組み込まれる窓材の導電性薄膜の透過スペクトルとターゲットガスの吸収スペクトルを同一波長軸にて示すグラフであり、透過スペクトルと吸収スペクトルとが重畳することを示す。
【図７Ｂ】本発明の第１実施形態に係るガス検出装置に組み込まれる窓材の導電性薄膜の透過スペクトルとターゲットガスの吸収スペクトルを同一波長軸にて示すグラフであり、λtrmaxとλabmaxが一致することを示す。
【図８】本発明の第１実施形態に係るターゲットガス濃度と出力電圧の関係を示すグラフである。
【図９】本発明の第１実施形態に係るターゲットガス濃度と吸光度の変化の関係を示すグラフである。
【図１０】本発明の第２実施形態に係るガス検出装置の概略的な断面構成を示す模式図である。
【図１１】本発明の第３実施形態に係るガス検出装置の概略的な断面構成を示す模式図である。
【図１２】本発明の第４実施形態に係るガス検出装置に組み込まれる窓材の部分的かつ概略的な上面構成を示す模式図である。
【図１３】本発明の実施例と比較例の比較結果を示すグラフである。
【図１４】本発明の実施例と比較例の比較結果を示すグラフである。
【図１５】本発明の実施形態の変形例を示す模式図である。
【発明を実施するための形態】
【００２３】
以下、図面を参照しつつ、本発明の実施の形態について説明する。各実施形態は、個々に独立したものではなく、過剰説明をするまでもなく、当業者をすれば、適宜、組み合わせることが可能であり、この組み合わせによる相乗効果も把握可能である。実施形態間の重複説明は、原則的に省略する。
【００２４】
＜第１実施形態＞
図１乃至図９を参照して第１実施形態について説明する。図１は、ガス検出装置の概略的な断面構成を示す模式図である。図２は、ガス検出装置に組み込まれる窓材の概略的な構成を示す模式図であり、同図（ａ）にて窓材の部分的かつ概略的な上面構成を示し、同図（ｂ）にて窓材の概略的な断面構成を示す。図３は、ガス検出装置に組み込まれる窓材の製造方法を示す工程図である。図４は、ガス検出装置に組み込まれる窓材の上面を写した写真である。図５は、ガス検出装置に組み込まれる窓材の導電性薄膜の光学的開口の間隔と透過スペクトルの透過ピークの最大透過率の波長（λmax）の関係を示すグラフである。図６は、ガス検出装置に組み込まれる窓材の導電性薄膜の透過スペクトルの対比を示すグラフである。図７Ａは、ガス検出装置に組み込まれる窓材の導電性薄膜の透過スペクトルとターゲットガスの吸収スペクトルを同一波長軸にて示すグラフであり、透過スペクトルと吸収スペクトルとが重畳することを示す。図７Ｂは、ガス検出装置に組み込まれる窓材の導電性薄膜の透過スペクトルとターゲットガスの吸収スペクトルを同一波長軸にて示すグラフであり、λtrmaxとλabmaxが一致することを示す。図８は、ターゲットガス濃度と出力電圧の関係を示すグラフである。図９は、ターゲットガス濃度と吸光度の変化の関係を示すグラフである。
【００２５】
図１に示すようにガス検出装置１０は、ターゲットガスのセル内空間１３０を画定する容器であるガスセル１１０、第１の窓材２００、第２の窓材３００、光源４１０、光検出部４２０、回路部５１０、及び表示部５２０を含む。ガス検出装置１０は、セル内空間１３０に供給されるターゲットガスの濃度を測定するべく、光源４１０から放射されセル内空間１３０を伝播した光を光検出部４２０で検出する。なお、ガス検出装置１０は、ターゲットガスの濃度を測定する場合に限らず、ターゲットガスの存在を検知するために用いられても良い。受光した伝播光の光強度の低下の検出からターゲットガスの存在を検知することができる。複数種類のガスを検出するようにガス検出装置を構成しても構わない。
【００２６】
ターゲットガスは、本例では六フッ化硫黄ＳＦ6を例示するが、これに限らず、二酸化炭素等の他の温室効果ガスであっても良く、また、温室効果ガス以外の有害若しくは無害のガスであっても良い。今回着目する六フッ化硫黄ＳＦ6の吸収スペクトルの吸収ピークが１０．５μｍにて最大吸収を示す。六フッ化硫黄ＳＦ6の吸収ピークに応じて、本例に係る光源４１０は、１０．５μｍの波長を含む近赤外線を生成可能に構成される。本例に係る光検出部４２０は、１０．５μｍの波長を含む近赤外線を検出可能に構成される。なお、ターゲットガスが別の波長帯域に吸収ピークを有するものであれば、これに応じて光源４１０の放射光の波長／波長帯域と光検出部４２０の検出可能な波長／波長帯域が調整される。すなわち、本願の開示は、近赤外領域でのガス検出に限定されるべきものではない。
【００２７】
図１に示したガスセル１１０のセル長Ｌ１１０が長ければ長いほどターゲットガスの濃度の十分な検出感度を確保することができる。光吸収は、分子固有の値×濃度×光路長により表現することができ、濃度が１／１０になれば１０倍の光路長が必要になる。ターゲットガス濃度のより十分な検出感度を確保するために、ガスセル１１０を長くすれば良いが、これに応じてガス検出装置１０が大型化してしまう。後述の説明から明らかなように、本実施形態によれば、ＮＤＩＲ方式といった光の減衰に応じてターゲットガス濃度を測定する方式に内在するこの欠点を根本的に解決することが可能になる。
【００２８】
光源４１０は、ターゲットガスの吸収スペクトルの吸収ピークに属する波長の光を生成可能に構成される。本例では、光源４１０は、上述のように近赤外線を生成する。光源４１０の具体的な構成は任意であり、例えば、パルス光を生成する光源であり、また、平行光を生成する光源である。光検出部４２０で光強度を測定する関係から連続光源よりはパルス光源のほうが望ましいが、シャッター装置等を連続光源に併用しても構わない。レンズ、フィルタ、プリズム、ミラー等の光学系を光源４１０に組み込み、若しくはレンズ、フィルタ、プリズム、ミラー等の光学系を光源４１０に光学的に結合しても良い。光源４１０は、典型的には、ＬＥＤ（Ｌｉｇｈｔ  Ｅｍｉｔｔｉｎｇ  Ｄｉｏｄｅ）、ＬＤ（Ｌａｓｅｒ  Ｄｉｏｄｅ）等の発光素子若しくはランプである。蛍光材料を活用して放射光の波長を調整しても良い。シリコン半導体素子に限らず、化合物半導体素子を発光素子としても用いても良い。
【００２９】
光検出部４２０は、ターゲットガスの吸収スペクトルの吸収ピークに属する波長の光を検出可能に構成される。光検出部４２０の具体的な構成は任意である。レンズ、フィルタ、プリズム、ミラー等の光学系を光検出部４２０に組み込み、若しくはレンズ、フィルタ、プリズム、ミラー等の光学系を光検出部４２０に光学的に結合しても良い。光検出部４２０は、典型的には、赤外領域の光に感度を有するＩｎＧａＡｓ等の化合物フォトダイオードであるが、必ずしもこの限りではなく、感熱素子を活用しても良い。
【００３０】
光源４１０と光検出部４２０は軸線ＡＸ５０沿いに同軸に配置され、つまり、光源４１０と光検出部４２０の間の光路が直線光路である。これにより、ガス検出装置１０に内蔵の光学系を単純化することができ、製品の組み立ての簡素化及び製品単価の低減を図ることができる。
【００３１】
ガスセル１１０はターゲットガスが供給される中空容器であり、ここに中空のガス導入部１２０と中空のガス排出部１４０が設けられる。ターゲットガスは、ガス導入部１２０を介してガスセル１１０内のセル内空間１３０に流入し、セル内空間１３０内を光源４１０側から光検出部４２０側へ流れ、ガス排出部１４０を介して外部へ排出される。ガスセル１１０、ガス導入部１２０、及びガス排出部１４０は、例えば、円筒状に構成されるが、必ずしもこの限りではない。
【００３２】
窓材２００及び窓材３００も軸線ＡＸ５０沿いに同軸上に配置される。窓材２００は、光源４１０から放射光のセル内空間１３０側への伝播を中継／介在する部材であり、本例では、近赤外線に対して透光性を有するように構成される。窓材２００は、光源４１０とセル内空間１３０の間に設けられ、セル内空間１３０を光源４１０側から画定する。窓材３００は、セル内空間１３０を伝播した光源４１０の放射光の光検出部４２０側への伝播を中継／介在する部材であり、本例では、近赤外線に対して透光性を有するように構成される。窓材３００は、セル内空間１３０と光検出部４２０の間に設けられ、セル内空間１３０を光検出部４２０側から画定する。窓材２００、３００の正面視形状は任意であり、例えば、円盤状や矩形状である。
【００３３】
窓材２００と窓材３００の間の間隔を本例に係るガスセル１１０のセル長Ｌ１１０とする。セル長Ｌ１１０は、本例においては、図１においては長く図示されているが、実際には従来品と比べて極端に短く、数センチでも十分なターゲットガス濃度の検出感度を確保できる。本発明者らによるシミュレーションによれば、ガスセル１１０のセル長Ｌ１１０を１０ミクロン程度まで短縮可能である。従って、ＭＥＭＳ（Ｍｉｃｒｏ  Ｅｌｅｃｔｒｏ  Ｍｅｃｈａｎｉｃａｌ  Ｓｙｓｔｅｍｓ）等の活用によりガス検出装置１０の小型化を図ることが期待できる。
【００３４】
図２は、ガス検出装置１０に組み込まれる窓材２００の概略的な構成を示す模式図であり、同図（ａ）にて窓材２００の部分的かつ概略的な上面構成を示し、同図（ｂ）にて窓材２００の概略的な断面構成を示す。なお、窓材３００の構成は窓材２００と略等しく、冗長な説明は省略する。
【００３５】
図２に示すように、窓材２００は、支持基板２１０上に導電性薄膜２２０が形成された光学部品であり、導電性薄膜２２０には複数の光学的開口２２２が２次元状に規則的に配置されている。支持基板２１０は、セル内空間１３０に晒される側の第１主面２１１と光源４１０に臨む側の第２主面２１２を有する。第１主面２１１と第２主面２１２は、互いに平行な平面であり、これらにより支持基板２１０の基板厚が規定される。第１主面２１１は、窓材２００の光出射面でもあり、第２主面２１２は、窓材２００の光入射面でもある。
【００３６】
支持基板２１０の第１主面２１１に導電性薄膜２２０が形成され、導電性薄膜２２０がセル内空間１３０のターゲットガスに接触可能であり、かつ導電性薄膜２２０が光源４１０と光検出部４２０の間の光路上に設けられる。
【００３７】
支持基板２１０は導電性薄膜２２０の支持基板であり、光源４１０の放射光に対して透光性を有し、本例では、近赤外線に対して透光性を有する。支持基板２１０の構成材料は、ターゲットガスの吸収スペクトルの吸収ピークに属する光に透過性を有するものであれば任意である。本例では、支持基板２１０が、厚み４５０〜５５０μｍのシリコン基板である。シリコン基板の厚みが増加すると近赤外線が吸収されてしまうため、これを抑制するためにシリコン基板の厚みを薄くすることが望ましい。好適には、シリコン基板の厚みは、２００〜１０００μｍである。ゲルマニウム、サファイア、フッ化カルシウム等の他の基板を活用しても良い。
【００３８】
導電性薄膜２２０は、金属に例示される導電性材料から成る薄膜であり、光学的開口２２２が規則的に設けられている。導電性薄膜２２０は、典型的には、銀、金、銅、クロム、アルミニウム、及び鉄から成る群から選択される材料から成る。導電性薄膜２２０の膜厚は、好適には、５０ｎｍ〜１００ｎｍである。光学的開口２２２は、典型的には導電性薄膜２２０が部分的に除去された空間であるが、透明材料が充填されていても構わない。光学的開口２２２の配置間隔は、ターゲットガスの吸収スペクトルの吸収ピークに依存して変更され得る。光学的開口２２２の開口径若しくは最大開口幅は、ターゲットガスの吸収スペクトルの吸収ピークに依存して変更され得る。光学的開口２２２の開口形状は図示の円形に限られるべきものではない。
【００３９】
光学的開口２２２が規則的に設けられることにより導電性薄膜２２０の透過スペクトルの透過ピークが調整される。導電性薄膜の透過スペクトルの透過ピークは「異常透過現象」により説明できる。「異常透過現象」は、入射光と、規則的な開口の周期構造が設けられた導電材の表面上の表面プラズモンポラリトン（ＳＰＰ（Ｓｕｒｆａｃｅ  Ｐｌａｓｍｏｎ  Ｐｏｌａｒｉｔｏｎ））との共鳴結合により、透過スペクトルに異常透過ピークが現れるものである。後述の説明から明らかなように、本願発明者らの検討によれば、導電性薄膜２２０の透過スペクトルの透過ピークをターゲットガスの吸収スペクトルの吸収ピークに波長軸上で重畳させることにより、セル長Ｌ１１０を短縮する場合においてもターゲットガスの十分な検出感度を確保できることを見出した。ＳＰＰが励起される導電性薄膜２２０の表面、特に光学的開口２２２のエッジにおいてターゲットガスと光源４１０の放射光が強く相互作用する、すなわちターゲットガスが光源４１０の放射光をより多く吸収するためと推定される。
【００４０】
光学的開口２２２同士の間隔が導電性薄膜２２０の透過スペクトルの透過ピークに影響するため、光学的開口２２２を四方格子状に配置するのではなく、三角格子状に配置して隣接する光学的開口２２２同士の間隔が平面内で等しくなるようにすることが好ましい。例えば、光学的開口２２２を四方格子状に隣接する場合、正方形において各辺の長さよりも対角線の長さが長いことに起因して導電性薄膜２２０の透過スペクトルに２つの透過ピークが表れてしまう。隣接する光学的開口２２２同士の間隔を平面内で等しくすることによりこの欠点を解消することができる。
【００４１】
図２（ａ）を参照すると、図２の紙面を正面視した際の左右方向（第１方向）に一定間隔Ｗ７で配置された光学的開口２２２の列（光学的開口列）Ｌ１と、同左右方向に一定間隔Ｗ７で配置された光学的開口２２２の列（光学的開口列）Ｌ２がある。なお、列Ｌ１と列Ｌ２は、図２の紙面を正面視した際の上下方向（第２方向）において隣接している。列Ｌ１の光学的開口２２２に対して列Ｌ２の光学的開口２２２が図２を正面視して右方向にＷ７／２だけシフトしていることが分かる。
【００４２】
各光学的開口２２２が三角格子状、つまり正三角形の各頂点に配置され、隣接する光学的開口２２２同士は間隔Ｗ７に統一される。換言すれば、光学的開口２２２は、列Ｌ１と列Ｌ２の間でジグザグに配置される。この点は、列Ｌ３と列Ｌ４等の他の列についても同様であり、例えば、列Ｌ３と列Ｌ４の間で斜め隣りに配置された光学的開口２２２同士の間隔も間隔Ｗ７である。なお、上述の第１方向及び第２方向が直交関係にあり、かつこれらにより導電性薄膜２２０の存在平面が規定される。
【００４３】
窓材２００の製造方法は任意である。例えば、図３に示すようにフォトリソグラフィー技術を活用して窓材２００を製造しても良い。図３に示すように、支持基板２１０上に例えばレジストからなる犠牲層２３０を成膜し（同図（ａ）参照）、選択露光と洗浄により犠牲層２３０をパターニングし（同図（ｂ）参照）、パターニングされた犠牲層２３０上に導電性薄膜２２０となるべき導電層２２０’を成膜し（同図（ｃ）参照）、その後、導電層２２０’が堆積した状態の犠牲層２３０を支持基板２１０上から除去し（同図（ｄ）参照）、これにより、図２に示した窓材２００が得られる。なお、フォトリソグラフィー技術に代えてレーザー加工等を活用しても良い。
【００４４】
図４に窓材２００の導電性薄膜２２０の拡大写真を示す。
【００４５】
図５は、ガス検出装置１０に組み込まれる窓材２００の導電性薄膜２２０の光学的開口２２２の間隔と透過スペクトルの透過ピークの最大透過率の波長（λmax）の関係を示すグラフである。図６は、ガス検出装置１０に組み込まれる窓材２００の導電性薄膜２２０の透過スペクトルの対比を示すグラフである。図５は、８個のサンプルの窓材を用いた結果を示し、８個のプロットが直線で近似されている。図６は、図５に係る８個のサンプルの各透過スペクトルを示す。
【００４６】
図５に示すように光学的開口２２２の間隔を増加させると波長λmaxが長波長側にシフトする、すなわち、導電性薄膜２２０の透過スペクトルの透過ピークが長波長側にシフトする。ここで述べる光学的開口２２２の間隔は、例えば、図２に示した間隔Ｗ７である。μｍレベルの間隔調整によりμｍレベルの最大強度波長のシフトが生じていることが分かる。
【００４７】
図６に示すように、各サンプルの窓材が、可視赤色から近赤外の帯域（６５０ｎｍ〜１１５０ｎｍ）で透過率に単一の透過ピークを有することが分かる。
【００４８】
図７Ａ及び図７Ｂは、ガス検出装置に組み込まれる窓材の導電性薄膜の透過スペクトルとターゲットガスの吸収スペクトルを同一波長軸にて示すグラフである。本実施形態においては、図７Ａ及び図７Ｂに示すように、導電性薄膜２２０の透過スペクトルの透過ピークが、ターゲットガスの吸収スペクトルの吸収ピークに波長軸上で重畳している。換言すれば、導電性薄膜２２０の透過スペクトルの透過ピークの波長帯域とターゲットガスの吸収スペクトルの吸収ピークの波長帯域が重畳、つまり共通の波長帯域を含む。本願発明者らの検討及びシミュレーション結果によれば、これにより、導電性薄膜の近傍、特段の限定を意図するものではなくより詳細に説明すれば、導電性薄膜の光学的開口を規定する側面の近傍、およびターゲットガスに晒される側の導電性薄膜の第１主面の表面近傍においてターゲットガスによる近赤外線の吸収が促進され、セル長Ｌ１１０の短縮にも関わらず十分な検出感度を確保できることが明らかになった。
【００４９】
図７Ａに示す場合、ターゲットガスの吸収スペクトルの吸収ピークの最大吸収が生じる波長λabmaxが１０．５μｍであり、導電性薄膜２２０の透過スペクトルの透過ピークの最大透過率が生じる波長λtrmaxが１０．４６μｍである。このように、波長λabmaxと波長λtrmaxの間にズレがあっても、吸収ピークに対する透過ピークの重なり合いが確保されれば十分である。
【００５０】
例えば、ターゲットガスの吸収スペクトルの吸収ピークの最大吸収が生じる波長＝λabmax、導電性薄膜の透過スペクトルの透過ピークの最大透過率が生じる波長＝λtrmaxとしたとき、λabmax×０．８≦λtrmax≦λabmax×１．２を満足し、好適には、λabmax×０．９≦λtrmax≦λabmax×１．１を満足し、より好適には、λabmax×０．９５≦λtrmax≦λabmax×１．０５を満足する。このような条件を満足する場合、透過スペクトルの透過ピークと吸収スペクトルの吸収ピークの十分な重なり合いを確保できるだろう。
【００５１】
図７Ｂに示す場合、ターゲットガスの吸収スペクトルの吸収ピークの最大吸収が生じる波長λabmaxが１０．５μｍであり、導電性薄膜２２０の透過スペクトルの透過ピークの最大透過率が生じる波長λtrmaxが１０．５μｍである。このように、λabmaxとλtrmaxを完全に一致させることが望ましい。図７Ｂに示す場合、吸収ピークの波長帯域幅が、透過ピークの波長帯域幅よりも十分に狭く、透過ピークの波長帯域幅内に吸収ピークが完全に含まれている。２種類以上のガスの混合ガスをターゲットガスとする場合、吸収ピークの波長帯域幅が透過ピークの波長帯域幅よりも広くなることも考えられる。
【００５２】
図８は、本構成でターゲットガスとしてＳＦ6を用いた場合において、ターゲットガスの濃度の増加に応じて電圧出力がリニアに変化することを示す。図９は、同じく、本構成でターゲットガスとしてＳＦ6を用いた場合において、ターゲットガスの濃度の増加に応じて吸光度の変化（ΔＡＢＳ）がリニアに変化することを示す。ターゲットガスのターゲットガス濃度のｐｐｍレベルの変動も精度よく検出可能であることが分かる。
【００５３】
図１に示した光検出部４２０は、典型的には、フォトダイオード等の光検出素子、光検出素子に電気的に接続されるアナログ周辺回路、及びオプションとしてアナログ信号をデジタル信号に変化するＡ／Ｄ変換回路等を含んで構成される。光検出部４２０の出力信号が光検出部４２０での検出光の強度を示す。回路部５１０は、光検出部４２０の出力信号を処理するアナログ又はデジタル回路を含んで構成され、場合によってはＣＰＵやメモリを含むコンピューターにより構成される。回路部５１０は、光検出部４２０の出力信号に基づいて上述の検出光の強度に対応するガス濃度値を決定して出力する。回路部５１０の出力信号が表示部５２０に伝達され、表示部５２０によりガス濃度値が表示される。検出光の強度とガス濃度値の関係は予め試験的に求めることができ、所望の演算式若しくはルックアップテーブルの活用により対応関係を求めることができる。
【００５４】
ガス検出装置１０の動作について説明する。ターゲットガスは、ガス導入部１２０を介してガスセル１１０のセル内空間１３０に供給され、ガス排出部１４０を介して排気される。光源４１０が近赤外線パルス光を出射すると、近赤外線パルス光が、窓材２００の支持基板２１０を透過し、導電性薄膜２２０を透過し、セル内空間１３０を通過し、窓材３００の導電性薄膜３２０を透過し、窓材３００の支持基板３１０を透過し、そして光検出部４２０に入射する。近赤外線パルス光は、所定の割合で各窓材の支持基板により吸収される。近赤外線パルス光は、所定の割合で各窓材の導電性薄膜により反射される。近赤外線パルス光は、ガスセル１１０のセル内空間１３０に存在するターゲットガスの量／濃度に応じた割合でターゲットガスにより吸収される。
【００５５】
光検出部４２０は、フォトダイオードの光電流の電流量に基づいて近赤外線の強度を検出する。光検出部４２０は、光電流を電流電圧変換し、光電流の電流量に応じた大きさの検出電圧を回路部５１０に出力する。回路部５１０は、検出電圧を処理、例えば、検出電圧からターゲットガス濃度値を決定して出力する。検出電圧値とターゲットガス濃度値との関係を予め試験的に求めることができることは当業者には理解できる（図８も参照）。表示部５２０は、回路部５１０から伝達されたターゲットガス濃度値を表示する。
【００５６】
本実施形態においては、光学的開口２２２の周期構造が設けられた導電性薄膜２２０、３２０がターゲットガスに接するように光路上に設けられ、導電性薄膜２２０の近傍においてターゲットガスによる十分な光吸収を促進することができるため、ガスセル１１０のセル長Ｌ１１０に特に顕著に依存する事無く、ターゲットガスの十分な検出感度を確保することができる。従って、図１に示すガスセル１１０のセル長Ｌ１１０を従来と比べて格段に短縮しても十分なターゲットガスの検出感度を確保することができる。例えば、１００ｐｐｍ相当のターゲットガスを検出するために「２０ｃｍ」以上の長さのターゲットガス流路の長さを確保することが既存のＮＤＩＲ方式のガスセルでは要求されていた。本実施形態の場合においては、同様程度の感度を確保するために要求されるガスセル１１０のセル長Ｌ１１０が「２ｃｍ」程度であり、既存方式と比較して１／１０のサイズダウンを図ることができた。
【００５７】
更に本実施形態では、光源４１０から光検出部４２０に至る光路上に複数、本例では２つの導電性薄膜２２０、３２０を設ける。これにより導電性薄膜とターゲットガスの相互作用領域を十分に確保することができ、十分なターゲットガス濃度の検出感度を確保できる。光路上に配置される導電性薄膜の枚数は任意であり、２枚以上、例えば、４枚、８枚の如く設けて検出感度を確保しても良い。なお、導電性薄膜を８枚以下とすることにより、透過率の低下の悪影響を回避することができる。導電性薄膜の枚数の増加により全体の透過率が低減すること自体は上述の説明や図７Ａ及び図７Ｂの開示から明らかである。もちろん、導電性薄膜を１枚のみ用いても構わない。
【００５８】
導電性薄膜を窓材に設けることは必須ではなく、導電性薄膜を光源４１０と光検出部４２０の間の光路上の他の位置に設けても良い。例えば、窓材２００と窓材３００の間にこれらの窓材と同じ構成の光学部品を中継素子として設けても良い。すなわち、窓材は、光学部品の一例であるに過ぎない。
【００５９】
＜第２実施形態＞
図１０を参照して第２実施形態について説明する。図１０は、ガス検出装置の概略的な断面構成を示す模式図である。本実施形態においては、ガスセル１１０の内面上に第１実施形態で説明したものに等しい導電性薄膜を設け、またこの導電性薄膜を光源４１０から光検出部４２０に至る光路上に配置する。これにより、導電性薄膜とターゲットガスのより十分な相互作用面積を確保することができる。本実施形態の場合にも第１実施形態と同様の効果を得ることができる。
【００６０】
図１０に示すように、ガスセル１１０の反射性の内面には第１実施形態で説明したものに等しい導電性薄膜２４０が設けられる。光源４１０の放射光が光路を伝播する過程で発散し、ガスセル１１０の内面の導電性薄膜２４０により反射され、また、これを透過してその反射性内面により反射される。ガスセル１１０の内面は十分な反射性を具備し、入射光がガスセル１１０自体を透過することが抑止される。本実施形態においても導電性薄膜２４０の透過スペクトルの透過ピークが、ターゲットガスの吸収スペクトルの吸収ピークに重畳されている。これにより、導電性薄膜２４０の近傍においてターゲットガスによる近赤外線の吸収が促進され、ガスセル１１０のセル長Ｌ１１０の短縮にも関わらずターゲットガスの十分な検出感度を確保できる。
【００６１】
＜第３実施形態＞
図１１を参照して第３実施形態について説明する。図１１は、ガス検出装置の概略的な断面構成を示す模式図である。本実施形態においては、ガスセル１１０が積分球の如く球状の反射性の内面を有し、そのガスセル１１０の反射性の球面に第１実施形態で説明したものに等しい導電性薄膜を設ける。導電性薄膜は光源４１０から光検出部４２０に至る光路上に配置される。導電性薄膜とターゲットガスのより十分な相互作用面積を確保することができる。本実施形態の場合にも第１実施形態と同様の効果を得ることができる。
【００６２】
図１１に示すように、ガスセル１１０が中空のセル内空間１３０を有するように構成され、このセル内空間１３０が球面により画定される。なお、ガスセル１１０内のセル内空間１３０には不図示のターゲットガス供給部とターゲットガス排出部が接続されているものとする。図１１の矢印で模式的に示すようにガスセル１１０内において光源４１０の放射光が導電性薄膜２４０により反射され、また、これを透過してガスセル１１０の反射性内面により反射される。ガスセル１１０の内面は十分な反射性を具備し、入射光がガスセル１１０自体を透過することが抑止される。ガスセル１１０の構成基材は、例えば、１以上のシリコン基板である。例えば、２つのシリコン基板の平板の半球状の窪みを対向させれば中空の球状空間を形成できる。
【００６３】
＜第４実施形態＞
図１２を参照して第４実施形態について説明する。図１２は、ガス検出装置に組み込まれる窓材の部分的かつ概略的な上面構成を示す模式図である。上述の実施形態においては、導電性薄膜に設ける光学的開口の開口形状が円形であったが、これを多角形としても良い。多角形とする場合、エッジに光が局在しやすいという光のエッジ効果に由来して光学的開口のエッジにおいて光源４１０の放射光とターゲットガスの相互作用を十分に促進することが予測される。本実施形態の場合にも第１実施形態と同様の効果を得ることができる。また、円形の光学的開口が導電性薄膜に設けられた場合と比較して導電性薄膜の近傍でのターゲットガスと光の相互作用をより十分にすることが見込まれる。
【００６４】
図１２に示すように、多角形の一例として三角形状の光学的開口２２２が導電性薄膜２２０に設けられる。その他の点は、第１実施形態と同様である。三角形状ではなく四角形状、五角形状、六角形状等としても良い。
【００６５】
＜実施例＞
図１３及び図１４は、実施例と比較例の比較結果を示すグラフである。■が、図１に示した構成に等しい実施例の評価結果を示し、これを実施例１とする。●が図１に示した構成において２枚の導電性薄膜のうち一方を支持基板のターゲットガスに接しない側に設けた実施例の評価結果を示し、これを実施例２とする。▲が、図１に示した構成において２枚の導電性薄膜の両方を支持基板のターゲットガスに接しない側に設けた比較例の評価結果を示す。
【００６６】
実施例１の場合、ターゲットガスを５ｐｐｍから検出できた。実施例２の場合、ターゲットガスを５０ｐｐｍから検出できた。比較例の場合、ターゲットガスを８０ｐｐｍから検出できた。導電性薄膜をターゲットガスに晒すことの意義を確認することができた。また、導電性薄膜とターゲットガスの相互作用面積を十分に確保することの意義を確認できた。
【００６７】
なお、用いたターゲットガスは、第１実施形態で説明したように六フッ化硫黄である。セル長は２ｃｍである。ガス導入部１２０にガス混合装置を接続した。ガス混合装置には、窒素ボンベと窒素と六フッ化硫黄が混合したターゲットガスボンベを接続した。光検出部４２０の電圧出力をオシロスコープに接続し、出力電圧の変化をモニターした。光源、光検出部、オシロスコープには電源から必要な電力が供給される。
【００６８】
上述の教示を踏まえると、当業者をすれば、各実施形態に対して様々な変更を加えることができる。導電性薄膜を設ける部材は窓材に限られず、光路上の他の位置に設けても良い。
【００６９】
本願には、次のガス検出方法も開示されていることは上述の説明から明らかである。本願に開示の例示のガス検出方法は、吸収スペクトルにおいて吸収ピークを呈するターゲットガスが供給される空間内に配置された導電性薄膜であって、前記吸収スペクトルの前記吸収ピークに対して透過スペクトルの透過ピークが波長軸上で重畳するように複数の光学的開口が規則的に配置された導電性薄膜に対して少なくとも前記吸収ピークに属する波長の光を照射するステップと、前記導電性薄膜を介して前記空間を伝播した光を検出するステップ、を含む。
【００７０】
図１５に示す如く、光源４１０と光検出部４２０を同じ側に設けても良い。この場合、図１５に示すように、光源４１０の放射光がセル内空間１３０を介さずに光検出部４２０に入射することを抑制するための遮光部２５１を設けることが望ましい。例えば、ダイシングにより窓材２００に開口を形成し、この開口に遮光部を挿入する。窓材２００に対向した反射部材２５２を設け、これにより、セル内空間１３０を伝播した光源４１０の放射光を光検出部４２０に向けることができる。反射部材２５２に代替して窓材２００と同じ構成の光学部品を配置しても良く、この場合、基板上の導電性薄膜が反射層として機能し、またターゲットガスとの光の相後作用を促進できる。図１５の矢印に示すようなＶ字状の光路を設定することが好ましい。図１５に示す場合、ガス検出装置１０を顕著に小型化することができる。受光素子と発光素子が一体化した受発光素子は汎用された技術であり、これを活用して装置を構成しても良い。支持基板２１０を共通基板として半導体の積層体である受光素子や発光素子を半導体プロセスを活用して設けて究極的な集積化を図っても良い。
【符号の説明】
【００７１】
１０          ガス検出装置
１１０        ガスセル
１２０        ガス導入部
１３０        セル内空間
１４０        ガス排出部
２００        窓材
２１０        支持基板
２２０        導電性薄膜
３００        窓材
３１０        支持基板
３２０        導電性薄膜
４１０        光源
４２０        光検出部
５１０        回路部
５２０        表示部
【図１】
2014211362.tif 000003
【図２】
2014211362.tif 000004
【図３】
2014211362.tif 000005
【図４】
2014211362.tif 000006
【図５】
2014211362.tif 000007
【図６】
2014211362.tif 000008
【図７Ａ】
2014211362.tif 000009
【図７Ｂ】
2014211362.tif 000010
【図８】
2014211362.tif 000011
【図９】
2014211362.tif 000012
【図１０】
2014211362.tif 000013
【図１１】
2014211362.tif 000014
【図１２】
2014211362.tif 000015
【図１３】
2014211362.tif 000016
【図１４】
2014211362.tif 000017
【図１５】
2014211362.tif 000018